(57)【要約】【課題】ユーザが、一昔前の音楽の雰囲気を懐かしむことが出来るように、自動的に模擬雑音を音声信号に混合たり、再生回数に応じて模擬雑音のレベルを可変して、楽曲毎に求める雑音の雰囲気やアナログレコード盤の劣化に伴う雑音の変化による雰囲気を味わうことが可能なデジタル再生方法およびデジタル再生装置を提供することを目的としている。【解決手段】記録媒体に記録されたデジタル信号を音声信号に変換して再生するデジタル信号再生部１と共に、雑音を模擬した模擬雑音を前記音声信号に混合して音声信号を劣化させて再生するデジタル再生方法において、デジタル信号に含まれたタグ情報を認識し、識別するタグ情報識別部２と、識別した結果に基づき模擬雑音を混合させる混合部４とを備えたものである。【選択図】図１
2008146757.tif 000002
【特許請求の範囲】
【請求項１】
記録媒体に記録されたデジタル信号を音声信号に変換して再生すると共に、雑音を模擬した模擬雑音を前記音声信号に混合して前記音声信号を劣化させて再生するデジタル再生方法において、
記録媒体に記録されたデジタル信号を音声信号に変換して再生するデジタル信号再生ステップと、
雑音を模擬した模擬雑音を発生する雑音発生ステップと、
前記デジタル信号に含まれたタグ情報を認識し識別するタグ情報識別ステップと、
前記識別した結果に基づき前記模擬雑音を前記音声信号と混合させる模擬雑音混合ステップと
を備えたことを特徴とするデジタル再生方法。
【請求項２】
記録媒体に記録されたデジタル信号を音声信号に変換して再生すると共に、雑音を模擬した模擬雑音を前記音声信号に混合して前記音声信号を劣化させて再生するデジタル再生方法において、
記録媒体に記録されたデジタル信号を音声信号に変換して再生するデジタル信号再生ステップと、
複数種の雑音を模擬した模擬雑音を発生する雑音発生ステップと、
前記デジタル信号に含まれたタグ情報を認識し識別するタグ情報識別ステップと、
前記識別した結果に基づき前記雑音発生ステップにより発生された模擬雑音を選択する模擬雑音選択ステップと、
前記選択された模擬雑音を前記音声信号と混合させる模擬雑音混合ステップと
を備えたことを特徴とするデジタル再生方法。
【請求項３】
記録媒体に記録されたデジタル信号を音声信号に変換して再生すると共に、雑音を模擬した模擬雑音を前記音声信号に混合して前記音声信号を劣化させて再生するデジタル再生装置において、
記録媒体に記録されたデジタル信号を音声信号に変換して再生するデジタル信号再生手段と、
雑音を模擬した模擬雑音を発生する雑音発生手段と、
前記デジタル信号に含まれたタグ情報を認識し識別するタグ情報識別手段と、
前記識別した結果に基づき前記模擬雑音を前記音声信号と混合する模擬雑音混合手段と
を備えたことを特徴とするデジタル再生装置。
【請求項４】
記録媒体に記録されたデジタル信号を音声信号に変換して再生すると共に、雑音を模擬した模擬雑音を前記音声信号に混合して前記音声信号を劣化させて再生するデジタル再生装置において、
記録媒体に記録されたデジタル信号を音声信号に変換して再生するデジタル信号再生手段と、
複数種の雑音を模擬した模擬雑音を発生する模擬雑音発生手段と、
前記デジタル信号に含まれたタグ情報を認識し識別するタグ情報識別手段と、
前記識別した結果に基づき前記雑音発生手段により発生された模擬雑音を選択する模擬雑音選択手段と、
前記選択された模擬雑音を前記音声信号と混合させる模擬雑音混合手段と
を備えたことを特徴とするデジタル再生装置。
【請求項５】
前記タグ情報は、予め記録媒体に記録された付加情報、または、ユーザが付加した情報であることを特徴とする請求項３または請求項４記載のデジタル再生装置。
【請求項６】
前記タグ情報の識別結果に基づいて再生した楽曲毎の再生回数を計数して再生回数積算値を得る再生回数計数手段と、
前記再生回数計数手段で得た楽曲毎の結果を記憶する再生回数記憶手段と、
前記再生回数記憶手段から前記タグ情報の識別結果に基づいて該当する楽曲の前記再生回数積算値を知り、それにより、前記混合する雑音のレベルを制御する雑音レベル制御手段と、
を備えることを特徴とする請求項３から請求項５のうちいずれか一項記載のデジタル再生装置。
【請求項７】
前記タグ情報は、楽曲の作成年代情報やジャンル情報であることを特徴とする請求項３から請求項６のうちいずれか一項記載のデジタル再生装置。
【発明の詳細な説明】
【技術分野】
【０００１】
本発明は、オーディオ装置に関し、特にデジタルオーディオプレーヤ等のデジタル再生方法およびデジタル再生装置に関する。
【背景技術】
【０００２】
従来のオーディオ装置には、デジタルオーディオ信号再生時において、一昔前の音楽の雰囲気を懐かしむ人達のために、アナログレコード風の音質を再現させることができる構成としたものが提案されている（例えば、特許文献１参照）。
【０００３】
その構成としては、記録媒体に記録されたデジタル信号を音声信号に変換して再生する再生装置において、雑音を模擬した模擬雑音を発生する雑音発生手段と、雑音発生手段によって発生された模擬雑音を音声信号と混合する混合手段を有し、聴取者によってオンオフ操作される選択スイッチがオンされると模擬雑音付加動作が作動すると共に、音声信号のレベルを検知して音声信号のレベルに対応して音声信号に付加する模擬雑音のレベルを可変したり、また、音声信号の周波数特性を制御するように構成されている。
【０００４】
【特許文献１】特開平９−６２２８５号公報
【発明の開示】
【発明が解決しようとする課題】
【０００５】
以上に述べた従来のオーディオ装置では、ユーザが一昔前の音楽の雰囲気を懐かしむことが出来るように、例えば、原理的には雑音が全く発生しないコンパクトディスク（以下、ＣＤと略称する）を再生し、模擬雑音として磨耗や傷のあるＬＰ等アナログレコード盤を再生する際に発生する雑音を発生させ、ＣＤの再生音声信号に混合して聴取するようになっている。
【０００６】
また、ＣＤから再生された楽曲の内容、すなわち、昔の曲であるかいなかの判断等を自動的に行なうことができず、模擬雑音付加動作は、聴取者が手動操作で行なわなければならないという操作上の煩わしさがあった。更に、混合する雑音の種類を、ＣＤから再生された楽曲毎の状況に応じて選択することが出来ず、ユーザが、楽曲毎に求める雑音の雰囲気やアナログレコード盤の再生を重ねる毎に増す磨耗や傷の劣化に伴う雑音の変化による雰囲気を味わえないという問題があった。
【０００７】
本発明は、このような従来の構成が有していた問題を解決しようとするものであり、デジタル信号に含まれた付加情報、または、ユーザが付加した情報等のタグ情報に含まれる作成年代やジャンル等を楽曲毎に認識し、識別した結果に基づいて、模擬雑音付加動作を自動的に行うことができ、また、楽曲に付加されたタグ情報に含まれる作成年代やジャンル等を認識し、識別した結果に基づいて模擬雑音の種類を選択できるデジタル再生方法およびデジタル再生装置を提供することを目的としている。
【０００８】
更に、本発明は、楽曲毎の再生回数等の積算値に基づいて発生する雑音のレベルを制御できるように構成し、ユーザが、楽曲毎に求める雑音の雰囲気やアナログレコード盤の再生を重ねる毎に増す磨耗や傷の劣化に伴う雑音の変化による雰囲気を味わうことが可能なデジタル再生方法およびデジタル再生装置を提供することを目的としている。
【課題を解決するための手段】
【０００９】
本発明は、上記の目的を達成するために、記録媒体に記録されたデジタル信号を音声信号に変換して再生すると共に、雑音を模擬した模擬雑音を前記音声信号に混合して前記音声信号を劣化させて再生するデジタル再生方法において、記録媒体に記録されたデジタル信号を音声信号に変換して再生するデジタル信号再生ステップと、雑音を模擬した模擬雑音を発生する雑音発生ステップと、前記デジタル信号に含まれたタグ情報を認識し識別するタグ情報識別ステップと、前記識別した結果に基づき前記模擬雑音を前記音声信号と混合させる模擬雑音混合ステップとによって構成されるものである。
【００１０】
更に、本発明は、記録媒体に記録されたデジタル信号を音声信号に変換して再生すると共に、雑音を模擬した模擬雑音を前記音声信号に混合して前記音声信号を劣化させて再生するデジタル再生方法において、記録媒体に記録されたデジタル信号を音声信号に変換して再生するデジタル信号再生ステップと、複数種の雑音を模擬した模擬雑音を発生する雑音発生ステップと、前記デジタル信号に含まれたタグ情報を認識し識別するタグ情報識別ステップと、前記識別した結果に基づき前記雑音発生ステップにより発生された模擬雑音を選択する模擬雑音選択ステップと、前記選択された模擬雑音を前記音声信号と混合させる模擬雑音混合ステップとによって構成されるものである。
【００１１】
また、本発明は、記録媒体に記録されたデジタル信号を音声信号に変換して再生すると共に、雑音を模擬した模擬雑音を前記音声信号に混合して前記音声信号を劣化させて再生するデジタル再生装置において、記録媒体に記録されたデジタル信号を音声信号に変換して再生するデジタル信号再生手段と、雑音を模擬した模擬雑音を発生する雑音発生手段と、前記デジタル信号に含まれたタグ情報を認識し識別するタグ情報識別手段と、前記識別した結果に基づき前記模擬雑音を前記音声信号と混合する模擬雑音混合手段とを備えたものである。
【００１２】
更に、本発明は、記録媒体に記録されたデジタル信号を音声信号に変換して再生すると共に、雑音を模擬した模擬雑音を前記音声信号に混合して前記音声信号を劣化させて再生するデジタル再生装置において、記録媒体に記録されたデジタル信号を音声信号に変換して再生するデジタル信号再生手段と、複数種の雑音を模擬した模擬雑音を発生する模擬雑音発生手段と、前記デジタル信号に含まれたタグ情報を認識し識別するタグ情報識別手段と、前記識別した結果に基づき前記雑音発生手段により発生された模擬雑音を選択する模擬雑音選択手段と、前記選択された模擬雑音を前記音声信号と混合させる模擬雑音混合手段とを備えたものである。
【００１３】
そして、本発明は、上述したデジタル再生装置において、以下の態様の発明をも提供するものである。
【００１４】
前記タグ情報は、予め記録媒体に記録された付加情報、または、ユーザが付加した情報であることが効果的である。
【００１５】
更に、前記タグ情報の識別結果に基づいて再生した楽曲毎の再生回数を計数して再生回数積算値を得る再生回数計数手段と、前記再生回数計数手段で得た楽曲毎の結果を記憶する再生回数記憶手段と、前記再生回数記憶手段から前記タグ情報の識別結果に基づいて該当する楽曲の前記再生回数積算値を知り、それにより、前記混合する雑音のレベルを制御する雑音レベル制御手段とを備えることが望ましい。
【００１６】
そして、前記タグ情報は、楽曲の作成年代情報やジャンル情報であることが効果的である。
【発明の効果】
【００１７】
本発明のデジタル再生方法およびデジタル再生装置によれば、楽曲毎に付加されたタグ情報を認識し、識別した結果に基づいて模擬雑音付加動作を自動的に行うことができる。また、楽曲に付加されたタグ情報を認識し、識別した結果に基づいて模擬雑音の種類を選択でき、更に、楽曲毎の再生回数等の積算値に基づいて発生する雑音のレベルを制御できるため、ユーザが、楽曲毎に求める雑音の雰囲気やアナログレコード盤の再生を重ねる毎に増す磨耗や傷の劣化に伴う雑音の変化による雰囲気を味わうことが可能なデジタル再生装置を提供することができる。
【発明を実施するための最良の形態】
【００１８】
以下に述べる本発明に係る実施例においては、半導体メモリプレーヤ、ハードディスクプレーヤ等のデジタルオーディオプレーヤを例に挙げ説明する。
【実施例１】
【００１９】
本発明に係るデジタル再生装置の第１の実施の形態について、図１および図２に基づいて説明する。
【００２０】
図１は、本発明の第１の実施の形態に係るデジタル再生装置を実施した場合の構成を示すブロック図である。図２は、本発明の第１の実施の形態に係るデジタル再生装置の動作過程の概要を示す遷移図である。
【００２１】
図１に示すデジタル再生装置は、デジタル信号再生部１、タグ情報識別部２、雑音発生部３、混合部４、および音声信号出力端子５から構成される。デジタル信号再生部１は、図示せぬデジタルオーディオ記録媒体に記録されているデジタル信号を再生し、信号処理系により処理を行ったオーディオデジタル信号および付加情報を出力する。ここでは、リッピングした際のＣＤＤＢからの情報の取り込み等により付加された情報を例として、付加情報には、記録媒体に記録されている楽曲等のプログラムに付随する付加情報、例えば演奏者の履歴等やユーザが付加した情報が記録されている。ここで出力されたオーディオデジタル信号は、本発明の音声信号に該当し、また、付加情報は、本発明のタグ情報に該当する。
【００２２】
以下に、図１および図２に基づいて動作を説明する。
まず、デジタル再生装置を動作状態にする。そして、デジタル信号再生部１から出力された音声信号は、混合部４に供給される。
【００２３】
また、デジタル信号再生部１から出力されたタグ情報は、タグ情報識別部２に供給され、タグ情報識別部２は、図２のステップＳ１に示すように、供給されたタグ情報を認識し、更に、ステップＳ２に示すように、このタグ情報が、所定の年代より古いことを表しているか、楽曲は所定のジャンルであるか、あるいは、ユーザが付加した情報であるかを識別する。この識別結果によって雑音発生部３は制御される。
【００２４】
タグ情報識別部２の識別結果が肯定（以下、「ＹＥＳ」と略称する）の場合は、雑音発生部３は模擬雑音を発生するように制御され、発生された模擬雑音は混合部４に供給され、図２のステップＳ４に示すように、混合部４において、デジタル信号再生部１から出力された音声信号に混合されて、音声信号出力端子５に模擬雑音が混合された音声信号を出力する。
【００２５】
また、タグ情報識別部２の識別結果が否定（以下、「ＮＯ」と略称する）の場合は、雑音発生部３は模擬雑音を発生しないように制御され、図２のステップＳ３に示すように、混合部４で模擬雑音を混合せず、模擬雑音が混合されていないデジタル信号再生部１から出力された音声信号を音声信号出力端子５に出力する。
【００２６】
以上のように本発明の第１の実施の形態によれば、タグ情報の識別結果によって、模擬雑音を発生させることができ、ユーザは、何らの特別の操作を行なうことなく、楽曲毎にアナログレコード盤の雑音の雰囲気を味わうことが可能になる。
【実施例２】
【００２７】
次に、本発明に係るデジタル再生装置の第２の実施の形態について、図３および図４に基づいて説明する。
【００２８】
図３は、本発明の第２の実施の形態に係るデジタル再生装置を実施した場合の構成を示すブロック図である。図４は、本発明の第２の実施の形態に係るデジタル再生装置の動作過程の概要を示す遷移図である。なお、上述した第１の実施の形態と同一部分には同一符号を付し、その共通する個所の詳細な説明は重複するため省略する。
【００２９】
この図３および図４に示す第２の実施の形態の特長とするところは、楽曲毎の再生回数を用いることにより、上述した第１の実施の形態の効果に加えて、楽曲毎に音声信号に混合する模擬雑音のレベルを変えることができる効果を得るものである。
【００３０】
そして、図３に示すデジタル再生装置は、デジタル信号再生部１、タグ情報識別部２、雑音発生部３、混合部４、音声信号出力端子５、再生回数計数部６、再生回数記憶部７、雑音レベル制御部８から構成される。
【００３１】
以下に、図３および図４に基づいて動作を説明する。
まず、タグ情報識別部２の識別結果が「ＹＥＳ」の場合は、図４のステップＳ５に示すように、雑音発生部３は模擬雑音を発生し、発生した模擬雑音は雑音レベル制御部８に供給される。
【００３２】
一方、再生回数計数部６は、タグ情報識別部２から楽曲に関する情報の供給を受け、楽曲毎に識別し、図４のステップＳ６に示すように識別した楽曲毎の再生回数を計数し、再生回数記憶部７に楽曲毎にその再生回数を記憶する。
【００３３】
そして、デジタル信号再生部１でデジタルオーディオ記録媒体が再生されると、再生回数計数部６は、タグ情報識別部２から楽曲に関する情報を受け取り、再生回数記憶部７に記憶されたその楽曲の再生回数と比較して、図４のステップＳ７に示すように、この再生回数が所定値より大きいか否かを識別し、その結果に基づいて雑音レベル制御部８を制御する。
【００３４】
再生回数計数部６が、再生回数が所定値より大きい（「ＹＥＳ」）と識別した場合は、図４のステップＳ９に示すように、雑音レベル制御部８において混合部４で混合する模擬雑音のレベルが第２のレベルに設定され、混合部４はそのレベルの模擬雑音の供給を受け、混合部４で、デジタル信号再生部１から混合部４に供給された音声信号と混合され、音声信号出力端子５から模擬雑音が混合された音声信号が出力される。
【００３５】
また、再生回数計数部６が、再生回数が所定値より小さい（「ＮＯ」）と識別した場合は、図４のステップＳ８に示すように、雑音レベル制御部８において混合部４で混合する模擬雑音のレベルが第１のレベルに設定され、混合部４はそのレベルの模擬雑音の供給を受け、混合部４で、デジタル信号再生部１から混合部４に供給された音声信号と混合され、音声信号出力端子５から模擬雑音が混合された音声信号が出力される。
【００３６】
以上のように、本発明の第２の実施の形態によれば、上述した第１の実施の形態の効果に加えて、楽曲の再生回数に応じて、音声信号に混合する模擬雑音のレベルを変えることができ、ユーザは、アナログレコード盤の再生を重ねる毎に増す磨耗や傷の劣化に伴う雑音の変化による雰囲気を味わうことが可能になる。
【実施例３】
【００３７】
更に、本発明に係るデジタル再生装置の第３の実施の形態について、図５および図６に基づいて説明する。
【００３８】
図５は、本発明の第３の実施の形態に係るデジタル再生装置を実施した場合の構成を示すブロック図である。図６は、本発明の第３の実施の形態に係るデジタル再生装置の動作過程の概要を示す遷移図である。なお、上述した第１の実施の形態および第２の実施の形態と同一部分には同一符号を付し、その共通する個所の詳細な説明は重複するため省略する。
【００３９】
この図５および図６に示す第３の実施の形態の特長とするところは、発生する複数の模擬雑音を用いることにより、上述した第１の実施の形態および第２の実施の形態の効果に加えて、楽曲毎に音声信号に混合する模擬雑音の種類を選択することができる効果を得るものである。
【００４０】
そして、図５に示すデジタル再生装置は、デジタル信号再生部１、タグ情報識別部２、混合部４、音声信号出力端子５、再生回数計数部６、再生回数記憶部７、雑音レベル制御部８、雑音発生部９、模擬雑音選択部１０から構成される。また、雑音発生部９は、模擬雑音記憶９１および雑音生成９２から構成される。
【００４１】
以下に、図５および図６に基づいて動作を説明する。
雑音発生部９において、模擬雑音記憶９１には、複数の模擬雑音が記憶される。例えば、ＬＰ、ＥＰ、ＳＰのアナログレコード等が発生した雑音の複数種の模擬雑音が記憶される。また、雑音生成９２は、図示せぬ電気回路で発生された模擬雑音である。
【００４２】
模擬雑音選択部１０は、タグ情報識別部２において識別された楽曲毎のタグ情報を受けて、図６のステップＳ１０に示すように、雑音発生部９の複数の模擬雑音の中から、その楽曲に応じた模擬雑音の種類を選択する。
【００４３】
模擬雑音選択部１０で選択された模擬雑音は雑音レベル制御部８に供給される。
【００４４】
このように、本発明の第３の実施の形態によれば、楽曲毎に、音声信号に混合する模擬雑音の種類を選択することができ、ユーザは、楽曲毎に求める雑音の雰囲気を味わうことが可能になる。
【００４５】
以上のように本発明のデジタル再生方法やデジタル再生装置によれば、デジタルオーディオ記録媒体に記録されたタグ情報に応じ、自動的に楽曲毎に模擬雑音を音声信号に混合したり、楽曲毎の再生回数に応じて模擬雑音のレベルを可変して音声信号に混合したり、楽曲毎に混合する模擬雑音の種類を選択することができるため、ユーザが、楽曲毎に求める雑音の雰囲気やアナログレコード盤の再生を重ねる毎に増す磨耗や傷の劣化に伴う雑音の変化による雰囲気を味わうことが可能となる。
【００４６】
なお、上記した実施例においては、デジタルオーディオ等の記録媒体に記録されたデジタル信号に含まれた付加情報、または、ユーザが付加した情報等のタグ情報を取得する場合について述べたが、これに限定されるものではなく、ＦＭ放送やインターネットによる音楽配信から取得した楽曲の情報に含まれる楽曲の作成年代やジャンル等からオールディーズかどうかを判断し、模擬雑音付加動作を自動的に行うことが可能である。
【００４７】
また、上述した実施の形態においては、アナログレコードが発生する雑音を模擬雑音として述べたが、これに限定されるものではなく、例えば、アナログオーディオテープを再生した時に発生する雑音の模擬雑音やコンサートホールにおける演奏会場の雰囲気を表現する雑音等を含む模擬雑音であっても、同様な作用および効果を得ることができる。
【図面の簡単な説明】
【００４８】
【図１】本発明の第１の実施の形態に係るデジタル再生装置を実施した場合の構成を    示すブロック図である。
【図２】本発明の第１の実施の形態に係るデジタル再生装置の動作過程の概要を示す    遷移図である。
【図３】本発明の第２の実施の形態に係るデジタル再生装置を実施した場合の構成を    示すブロック図である。
【図４】本発明の第２の実施の形態に係るデジタル再生装置の動作過程の概要を示す    遷移図である。
【図５】本発明の第３の実施の形態に係るデジタル再生装置を実施した場合の構成を    示すブロック図である。
【図６】本発明の第３の実施の形態に係るデジタル再生装置の動作過程の概要を示す    遷移図である。
【符号の説明】
【００４９】
１      デジタル信号再生部
２      タグ情報識別部
３      雑音発生部
４      混合部
５      音声信号出力端子
６      再生回数計数部
７      再生回数記憶部
８      雑音レベル制御部
９      雑音発生部
９１    模擬雑音記憶
９２    雑音生成
１０    模擬雑音選択部
【図１】
2008146757.tif 000003
【図２】
2008146757.tif 000004
【図３】
2008146757.tif 000005
【図４】
2008146757.tif 000006
【図５】
2008146757.tif 000007
【図６】
2008146757.tif 000008